(57)【要約】【課題】構造が単純でコストや維持管理の面で優れた新規な投げ釣り用コマセ篭の開発を試みたものである。【解決手段】中空の篭本体と、該篭本体を貫通して取り付けた軸棒と、該軸棒を貫通させ、かつ篭本体の開口部に開閉自在に取り付けた蓋部とを備え、蓋部の先端から突出した軸棒にナツメ状の重りを移動を防止して装着した投げ釣り用コマセ篭において、篭本体は、その側面に所定の間隔で複数の羽根を突設して、その間にそれぞれ通水孔を形成するとともに、前記開口部に前記軸が傾いた際にはめ込む凹溝を形成してあり、前記軸棒そのものは篭本体の内部において丸環で連結して首振り可能となっており、また重りの先端に位置する軸棒端部の丸環を着脱可能とし、蓋部は側面に所定の間隔で通気孔を形成するとともに、先端に重しを内蔵させたことを特徴とする投げ釣り用コマセ篭。【選択図】  図１
0003139293.tif 000002
【実用新案登録請求の範囲】
【請求項１】
コマセを充填するために端部を開口した中空の篭本体と、該篭本体を貫通して取り付けた軸棒と、該軸棒を貫通させて前記篭本体に向けて進退可能とし、かつ篭本体の開口部に開閉自在に取り付けた蓋部とを備え、篭本体と蓋部とで流線型をなすよう構成するとともに、蓋部の先端から突出した軸棒にナツメ状の重りを移動を防止して装着した投げ釣り用コマセ篭において、
篭本体は、その側面に所定の間隔で複数の羽根を突設して、その間にそれぞれ通水孔を形成するとともに前記開口部に、前記軸が傾いた際にはめ込む凹溝を形成してあり、
前記軸棒には端部の丸環との間にゴム筒を取り付けるとともに、軸棒そのものは篭本体の内部において丸環で連結して首振り可能となっており、また重りの先端に位置する軸棒端部の丸環を着脱可能として重りの取替えができるようにし、
蓋部は側面に所定の間隔で通気孔を形成するとともに、先端に重しを内蔵させたことを特徴とする投げ釣り用コマセ篭。
【請求項２】
前記軸棒が硬質のステンレス製であることを特徴とする請求項１記載の投げ釣り用コマセ篭。
【請求項３】
前記ナツメ状の重りの移動防止手段がゴム筒からなることを特徴とする請求項１記載の投げ釣り用コマセ篭。
【考案の詳細な説明】
【技術分野】
【０００１】
この考案は投げ釣り用コマセ篭に関するものであって、特にコマセと付け餌を希望するタナに有効に放出することができる投げ釣り用コマセ篭に係るものである。
【背景技術】
【０００２】
従来、集魚用として深いタナにコマセをまく場合としては、主に、船上等からコマセ篭を垂らして希望するタナで煽って（急激に少し引き上げて）コマセを放出させる場合と、投げ釣り用のコマセ篭を用いて希望するタナでコマセを放出させる場合との２つの方法があった。
【０００３】
前者の方法としては例えば、実開昭５８−１３７０８０号公報（特許文献１）、実開昭５８−１８７２７５号公報（特許文献２）、実開昭５９−４７４８０号公報（特許文献３）、実開昭６０−１５１３７５号公報（特許文献４）等があり、いずれのものにも水圧を受けて蓋を開放させるようにしたコマセ篭がそれぞれ示されている。
しかしながら、これらの先行技術はいずれも投げ釣り用のコマセ篭に関するものではなく、本願考案の投げ釣り用コマセ篭とは目的や作用効果をまったく異にするものである。
【０００４】
後者の例としては登録実用新案第３０２２２７３号公報（特許文献５）、特開２００２−１０１７９７号公報（特許文献６）、特開２００５−２７５９０号公報（特許文献７）に示されたものがある。
特許文献５には下端を開口して内部にコマセを収容可能とした上部カゴ本体と、その上部カゴ本体１の下端に脱着自在とした下部フタ体と、その下部フタ体の上に覆設した中板とを備え、それら上部カゴ本体、中板及び下部フタ体にフレキシブルな中心軸を上下方向に貫通させ、下部フタ体の下方へ貫出した中心軸に錘体を取り付けた投げ釣り用コマセ篭が示されている。
【０００５】
特許文献６には撒餌を収納する上部カゴ本体の内側筒部の中心孔に上側中心軸が貫通され、上部カゴ本体上の上側中心軸に整流翼を備えた位置調整部材が螺合されており、上側中心軸の下側に可撓性を有する中心軸が連結されていて、上部カゴ本体の下方に下部蓋体が配置され、下部蓋体の内側筒部の中心孔と重錘の中心孔に可撓性を有する中心軸が貫通されている投げ釣り用コマセ篭が示されている。
位置調整部材の位置を調整することで上部カゴ本体と下部蓋体の離間幅が調整出来て容易にコマセの放出量を調整できる。
【０００６】
特許文献７にはコマセを充填するために端部を開口した篭本体と、篭本体の開口部にヒンジを用いて開閉自在に取り付けた蓋部とを備えた投釣り用コマセ篭において、蓋部に首振り可能なフックを篭本体に向けて突設するとともに、篭本体にこのフックの係止部を設け、しかも上記フックは係止部とかみ合う方向に付勢されており、またフックの軸着部の反対側には受圧板を取り付け、さらに篭本体の側壁に通水部とを設けることにより、投釣り用コマセ篭を所定のポイントに投入し、タナに到達した時点で釣り糸を煽った（急激に引いた）ときに、通水部から流入した水の水圧で受圧板が回動してフックを係止部から外れる方向に首振りさせ、係止部との係合を解いて蓋部を開放し、コマセと付け餌を狙ったタナに確実に放出するようにした投げ釣り用コマセ篭が示されている。
【特許文献１】実開昭５８−１３７０８０号公報
【特許文献２】実開昭５８−１８７２７５号公報
【特許文献３】実開昭５９−４７４８０号公報
【特許文献４】実開昭６０−１５１３７５号公報
【特許文献５】登録実用新案第３０２２２７３号公報
【特許文献６】特開２００２−１０１７９７号公報
【特許文献７】特開２００５−２７５９０号公報
【考案の開示】
【考案が解決しようとする課題】
【０００７】
上記投げ釣り用コマセ篭に関する先行技術の特許文献５においては、上部カゴ本体、中板及び下部フタ体にフレキシブルな中心軸を上下方向に貫通させた構造とし、上部カゴ本体、中板及び下部フタ体を軸線方向からずらしてコマセを放出しやすいようにしている。
しかしながら、上記従来の投げ釣り用コマセ篭においては、着水時等に上部カゴ本体と下部フタ体とが開放されやすく、希望のタナに到達するまでにコマセ等が放出されてしまうという欠点があった。すなわち、遠投の場合は陸地から８０〜１００ｍも投げる場合があり、その着水時の衝撃は非常に大きいものとなる。そのため、着水時の衝撃で下部フタ体から上部カゴ本体が離れて開いてしまうのである。
ちなみに、投げ釣り用コマセ篭が遠投の際に受ける風圧も非常に大きいものがあり、空中で下部フタ体から上部カゴ本体が離れて開いてしまい、コマセ等が放出されるという問題があった。
また上記着水時の衝撃でコマセ等が放出されなかったとしても、下部フタ体から上部カゴ本体が離れて開いてしまうと沈降の際に上部カゴ本体内に水圧がかかり、やはりコマセ等を希望のタナに到達するまでに放出してしまうという問題は解決されていない。例えば真鯛等を釣ろうとする場合、例えば海底までの深さが６０ｍとしてそこから約１０ｍ上がポイントであり、そのタナに投げ釣り用コマセ篭が到達するまでには相当の時間を要するものである。したがってその途中でコマセ等が放出されていた場合には、小魚（餌取り）等に付け餌を奪われたり、狙う獲物以外の魚が懸かってしまうおそれがあった。
【０００８】
特許文献６においては、撒餌を収納する上部カゴ本体の内側筒部の中心孔に上側中心軸が貫通され、上部カゴ本体上の上側中心軸に整流翼を備えた位置調整部材が螺合されており、位置調整部材の位置を調整することで上部カゴ本体と下部蓋体の離間幅が調整出来て容易にコマセの放出量を調整できるが、整流翼が上部カゴ本体ではなく位置調整部材に形成されているので、遠投時の飛行がぶれたり、振動を生じて飛行距離が降りてしまうという問題があった。
【０００９】
特許文献７においては、篭本体の開口部にヒンジを用いて開閉自在に取り付けた蓋部を備えているので、遠投時の着水の衝撃でヒンジ部分の作動がスムーズに行なわれなくなったり、破損等によって故障してしまうという問題があった。
【００１０】
この考案はこのような背景からなされたものであって、希望のタナ（魚層）に達するまでコマセの散乱を防ぐことによって釣果を充分に上げることができ、また取り扱い時においても周辺を汚すこともなく、しかも構造が単純でコストや維持管理の面で優れた新規な投げ釣り用コマセ篭の開発を試みたものである。
もちろん、投げ釣りに際して正確に飛行させることができ、しかも飛距離に不足はなく、また希望するタナに正確にコマセを放出することができるようにすることを主な目的としている。
【課題を解決するための手段】
【００１１】
この考案の投げ釣り用コマセ篭は、コマセを充填するために端部を開口した中空の篭本体と、該篭本体を貫通して取り付けた軸棒と、該軸棒を貫通させて前記篭本体に向けて進退可能とし、かつ篭本体の開口部に開閉自在に取り付けた蓋部とを備え、篭本体と蓋部とで流線型をなすよう構成するとともに、蓋部の先端から突出した軸棒にナツメ状の重りを装着した投げ釣り用コマセ篭において、
篭本体は、その側面に所定の間隔で複数の羽根を突設して、その間にそれぞれ通水孔を形成するとともに前記開口部に、前記軸が傾いた際にはめ込む凹溝を形成してあり、
前記軸棒には端部の丸環との間にゴム筒を取り付けるとともに、軸棒そのものは篭本体の内部において丸環で連結して首振り可能となっており、また重りの先端に位置する軸棒端部の丸環を着脱可能として重りの取替えができるようにし、
蓋部は側面に所定の間隔で通気孔を形成するとともに、先端に重しを内蔵させたことを特徴とするものである。
【００１２】
この考案の投げ釣り用コマセ篭は、前記軸棒が硬質のステンレス製であることをも特徴としている。
【００１３】
この考案の投げ釣り用コマセ篭は、前記ナツメ状の重りの移動防止手段がゴム筒からなることをも特徴としている。
【考案の効果】
【００１４】
この考案の投げ釣り用コマセ篭は、次のような効果を奏するものである。
１）釣り用コマセ篭を篭本体と蓋部とで流線型をなすよう構成するとともに、重りをナツメ状に形成することにより、遠投時の飛行における空気抵抗がやわらげられて飛行距離を伸ばすことができ、また棚までの水の抵抗を最小限に抑えることができる。
２）篭本体の側面に所定の間隔で複数の羽根を突設したので、５０ｍ以上の遠投時にコマセ篭のブレを安定させられるので、飛距離を伸ばすことができる。
３）篭本体は、上記複数の羽根の間にそれぞれ通水孔を形成したので、水中で棚まで落下する際に、水圧によって篭本体の内部に溜まった空気を抜くとともに、篭本体の内部のコマセの押し出しを良好なものとすることができる。
なお、従来のコマセ篭は前記通水孔が数多く開けられたものが多いが、この間隔で充分コマセを押出すことができる。
４）篭本体の開口部に軸棒をはめ込む凹溝を形成してあるので、針に餌を付けて篭本体の内部に針を入れたとき、ハリスをこの凹溝の位置から引き出すことができる。このことは遠投時にコマセ篭が水面に着水したとき、着水時の衝撃によってハリスがつぶれるなどのトラブルから回避する。
同時に軸棒を丸環による連結部分を介して動かすことができるようにしてあるので、コマセを篭本体に入れるときに、軸棒を連結部分で折り曲げてこの凹溝に軸棒をかけることにより、コマセを詰める作業をスピーディにすることができる。またこの丸環による連結部分を動かすことで、コマセの詰めすぎ時のコマセが出ないというトラブルを回避する。
５）前記軸棒上に端部の丸環との間に筒状のクッション材を取り付けたので、遠投時に水面に着水したときの衝撃をやわらげ、篭本体の端部が衝撃によって割れるのを防止することができる。
【００１５】
６）軸棒を硬質のステンレス製とすることで、遠投前に何かの物に当たったときなどに篭本体内部のコマセが間違って出てしまうトラブルを防止することができる。
従来のコマセ篭は通常のワイヤを使用していたため、コマセが間違って出てしまうトラブルが多かった。
７）軸棒端部の丸環を着脱可能とすることにより、従来のコマセ篭ではできなかった重りの取替えを可能とし、重りを何個か持っていれば、篭本体は１つで済むため、釣り場や竿の号数の状況に応じて即座に変えられる。したがって非常に無駄のない遠投用のコマセ篭となる。
８）蓋部は側面に所定の間隔で通気孔を形成するとともに、先端に重しを内蔵させているので、棚まで落ちるときに篭本体の内部に溜まった空気を抜く役目をし、スピーディに棚まで落とすための手助けとなる。
また、棚に着いてから前記先端の重しにより、蓋部を浮かせないようにすることができる。すなわち、蓋部が浮いてしまうとコマセ篭は開かず、コマセが出ないというトラブルが起きるのである。
９）ナツメ状の重りの移動をゴム筒を用いて防止するようにしたので、重りが勝手に上下することをなくし、ハリスが絡まるトラブルをなくすことができ、また重りを取替える際に蓋部が抜け落ちてしまうのを防止する。
【考案を実施するための最良の形態】
【００１６】
以下この考案の投げ釣り用コマセ篭を、図示の実施の形態に基づいて具体的に説明する。
図１はこの考案の投げ釣り用コマセ篭の側面図、図２は蓋部を閉じた状態の斜視図、図３は蓋部を分離した状態の斜視図、図４は蓋部を開いた状態の斜視図、図５は軸棒先端の丸環の着脱手段を示す拡大断面図である。
【００１７】
図１ないし図３において、投げ釣り用コマセ篭１１はコマセを充填するために端部を開口した中空の篭本体１２と、該篭本体１２を貫通して取り付けた硬質のステンレス製軸棒１３と、該軸棒１３を貫通させて前記篭本体１２に向けて進退可能とし、かつ篭本体１２の開口部１４に段差部５４を介して開閉自在に取り付けた蓋部１５とを備え、該蓋部１５の先端から突出した軸棒１３にナツメ状の重り２１が装着してある。なお、前記篭本体１２および蓋部１５はプラスチック素材等を用いて成形されている。
１６は天秤で一方の軸には道糸１７が、また他方の軸には仕掛けのためのハリス１８等がそれぞれ取り付けられている。上記篭本体１２と蓋部１５とは流線型をなすよう形成してあり、特に蓋部１５の外形は、空気抵抗および着水後の水の抵抗の少ない形状に成形されている。また重り２１もナツメ状に形成することにより、遠投時の飛行における空気抵抗がやわらげられて飛行距離を伸ばすことができ、また棚までの水の抵抗を最小限に抑えることができる。
【００１８】
そして、前記篭本体１２は、その側面に所定の間隔で複数の羽根３１が突設してあり、その間にそれぞれ通水孔３２を形成するとともに前記開口部１４に、前記軸棒１３の下部が傾いた際にはめ込む凹溝３３が形成されている。図において３４は、前記軸棒１３を挿通して篭本体１２内の中心に位置するよう保持する軸棒ガイドである。
上述のように、篭本体１２の側面に所定の間隔で複数の羽根３１を突設したので、５０ｍ以上の遠投時にもコマセ篭のブレを安定させることができ、飛距離を大幅に伸ばすことができる。
【００１９】
前記通水孔３２は篭本体１２の内部から篭本体１２の外部に向けて、篭本体１２の先端方向に傾斜するよう形成されており、篭本体１２の内部から篭本体１２の外部に向けて抵抗なく内部の水や空気が抜けるようになっている。
このように前記篭本体１２には、上記複数の羽根３１の間にそれぞれ通水孔３２を形成してあるので、水中で棚まで落下する際に、水圧によって篭本体１２の内部に溜まった空気を抜きやすくするとともに、篭本体１２の内部のコマセの押し出しを良好なものとすることができる。
なお、従来のコマセ篭は前記通水孔が数多く開けられたものが多いが、この間隔で充分コマセを押出すことができ、また飛行時の空気抵抗を最小限に抑えることにより風切り音の出にくい形状とすることができる。
【００２０】
また、篭本体１２の開口部１４には前記軸棒１３をはめ込む一対の凹溝３３を形成してあるので、針に餌を付けて篭本体１２の内部に針を入れたとき、ハリス１８をこの凹溝３３の位置から引き出すことができる。このことは遠投時にコマセ篭が水面に着水したとき、着水時の衝撃によってハリス１８がつぶれるなどのトラブルを回避する。
同時に軸棒１３を丸環４３，４３による連結部分を介して動かすことができるようにしてあるので、コマセを篭本体１２に入れるときに、該軸棒１３上を移動させて前記篭本体１２から蓋部１５を後退させたのち、図４のように軸棒１３を連結部分で折り曲げてこの凹溝３３に軸棒１３をかけることにより、篭本体１２の開口部１４を大きく広げることができ、コマセを詰める作業をスピーディに行なうことができる。またこの丸環４３，４３による連結部分を動かすことでコマセをかき回すことができ、コマセを詰めすぎた時にコマセが出ないというトラブルを回避する。
【００２１】
前記軸棒１３には末端の丸環４１との間にゴム筒４２等からなるクッション材を取り付けるとともに、軸棒１３そのものは篭本体１２の内部において丸環４３，４３で連結して首振り可能となっている。また前記重り２１の端部に位置する軸棒１２先端の丸環４４を着脱可能として重り２１の取替えができるようにしてある。
前記軸棒１３を硬質のステンレス製とすることで、遠投前に何かの物に当たったときなどに篭本体１２内部のコマセが間違って出てしまうトラブルを防止することができる。
従来のコマセ篭は通常のワイヤを使用していたため、コマセが間違って出てしまうトラブルが多かった。
【００２２】
前記軸棒１３上に端部の丸環４１との間にゴム筒４２等からなるクッション材を取り付けたので、遠投時に水面に着水したときに篭本体１２にかかる衝撃をやわらげ、篭本体１２の端部が衝撃によって割れるのを防止することができる。
前記着脱手段は、図５に示すように軸棒１２先端に形成した雄ネジ４５に、丸環４４にも受けた雌ネジ４６を軸着することにより着脱可能とするものが望ましい。もちろん、重り２１の着脱が可能であれば上記ネジ式に限定されるものではない。
このように、軸棒１３端部の丸環４４を着脱可能とすることにより、従来のコマセ篭ではできなかった重り２１の取替えを可能とし、重り２１を何個か持っていれば、篭本体１２は１つで済むため、釣り場や竿の号数の状況に応じて即座に変えられる。したがって非常に無駄のない遠投用のコマセ篭となる。
【００２３】
なお、前記ナツメ状の重り２１はその前後にゴム筒２２，２２からなる移動防止手段が取り付けられており、このゴム筒２２によって重り２１が勝手に上下することをなくして、ハリス１８が絡まるトラブルをなくすことができ、また重り２１を取替える際に蓋部１５が抜け落ちてしまうのを防止する。この実施例では前記クッション材および移動防止手段としてゴム筒４２，２２，２２を例示したが、クッション性や重り２１の移動を防止する機能があれば、ゴム素材に限定されるものではない。
【００２４】
前記蓋部１５は、その側面に所定の間隔で通気孔５１を形成するとともに、先端５２に重し５３を内蔵させているので、棚まで落ちるときに篭本体１２の内部に溜まった空気を通気孔５１を利用して抜くことができ、コマセ篭をスピーディに棚まで落とすための手助けとなる。
また、棚に着いてから前記先端の重し５３により、蓋部１５を浮かせないようにすることができる。すなわち、蓋部１５が浮いてしまうとコマセ篭は開かず、コマセが出ないというトラブルが起きるのである。
前記蓋部１５の篭本体１２の開口部１４とのかみ合わせ部分には、肉厚を薄くした段差部５４が形成してあり、このように前記蓋部１５のかみ合わせ部分を一段上げることで、コマセ篭のズレを防止することができる。
【００２５】
前記篭本体１２は、図１の分離線６１部分（最も径の大きい）で分割し、先端側を連結部６２とすることにより、その連結部６２を逆向きにテーパ状として絞り込むことで、篭本体１２内部のコマセの出し過ぎを調整するようにすることができる。なお、この連結部６２は成形上の都合であって、篭本体１２を絞り込むように成形可能であればあえて設ける必要はない。
【産業上の利用可能性】
【００２６】
この考案の投げ釣り用コマセ篭にあっては、海岸の陸の上や、所定の水深から、あるいは船の上等からの海釣りのみならず、一定の水深を備えた河川の陸の上や船の上等からの釣り等にも適宜利用することができる。
【図面の簡単な説明】
【００２７】
【図１】この考案の投げ釣り用コマセ篭の側面図である。
【図２】蓋部を閉じた状態の斜視図である。
【図３】蓋部を分離した状態の斜視図である。
【図４】蓋部を開いた状態の斜視図である。
【図５】軸棒先端の丸環の着脱手段を示す拡大断面図である。
【符号の説明】
【００２８】
１１  投げ釣り用コマセ篭
１２  篭本体
１３  軸棒
１４  開口部
１５  蓋部
１６  天秤
１７  道糸
１８  ハリス
２１  重り
２２，２２  ゴム筒
３１  羽根
３２  通水孔
３３  凹溝
３４  軸棒ガイド
４１  丸環
４２  ゴム筒
４３，４３  丸環
４４  丸環
４５  雄ネジ
４６  雌ネジ
５１  通気孔
５２  先端
５３  重し
５４  段差部
６１  分離線
６２  連結部
【図１】
0003139293.tif 000003
【図２】
0003139293.tif 000004
【図３】
0003139293.tif 000005
【図４】
0003139293.tif 000006
【図５】
0003139293.tif 000007
【手続補正書】
【提出日】平成19年11月28日(2007.11.28)
【手続補正１】
【補正対象書類名】明細書
【補正対象項目名】０００７
【補正方法】変更
【補正の内容】
【０００７】
上記投げ釣り用コマセ篭に関する先行技術の特許文献５においては、上部カゴ本体、中板及び下部フタ体にフレキシブルな中心軸を上下方向に貫通させた構造とし、上部カゴ本体、中板及び下部フタ体を軸線方向からずらしてコマセを放出しやすいようにしている。
しかしながら、上記従来の投げ釣り用コマセ篭においては、着水時等に上部カゴ本体と下部フタ体とが開放されやすく、希望のタナに到達するまでにコマセ等が放出されてしまうという欠点があった。すなわち、遠投の場合は陸地から８０〜１００ｍも投げる場合があり、その着水時の衝撃は非常に大きいものとなる。そのため、着水時の衝撃で下部フタ体から上部カゴ本体が離れて開いてしまうのである。
ちなみに、投げ釣り用コマセ篭が遠投の際に受ける風圧も非常に大きいものがあり、空中で下部フタ体から上部カゴ本体が離れて開いてしまい、コマセ等が放出されるという問題があった。
また上記着水時の衝撃でコマセ等が放出されなかったとしても、下部フタ体から上部カゴ本体が離れて開いてしまうと沈降の際に上部カゴ本体内に水圧がかかり、やはりコマセ等を希望のタナに到達するまでに放出してしまうという問題は解決されていない。例えば真鯛等を釣ろうとする場合、海底までの深さが６０ｍとして底から約１０ｍ上がポイントであり、そのタナに投げ釣り用コマセ篭が到達するまでには相当の時間を要するものである。したがってその途中でコマセ等が放出されていた場合には、小魚（餌取り）等に付け餌を奪われたり、狙う獲物以外の魚が懸かってしまうおそれがあった。
【手続補正２】
【補正対象書類名】明細書
【補正対象項目名】０００８
【補正方法】変更
【補正の内容】
【０００８】
特許文献６においては、撒餌を収納する上部カゴ本体の内側筒部の中心孔に上側中心軸が貫通され、上部カゴ本体上の上側中心軸に整流翼を備えた位置調整部材が螺合されており、位置調整部材の位置を調整することで上部カゴ本体と下部蓋体の離間幅が調整出来て容易にコマセの放出量を調整できるが、整流翼が上部カゴ本体ではなく位置調整部材に形成されているので、遠投時の飛行がぶれたり、振動を生じて飛行距離が落ちてしまうという問題があった。